(57)【特許請求の範囲】
【請求項１】
扇子状の扇風機であって、
送風ファンおよびこの送風ファンを回転駆動するモーターを有する扇風機部と当該扇風機部を収容するケース部とを有する扇風機本体と、
前記扇風機本体の左右両側に設けられると共に、左右に開閉可能に取り付けられた第1及び第2の親骨と当該親骨および前記扇風機本体に両端部が取り付けられ蛇腹状に開閉する扇面部を有する扇子部と、
前記扇風機本体に取り付けられ、前記扇子部を開閉するための開閉機構と、を備え、
前記開閉機構は、前記扇子部の前記第1及び第2の親骨のそれぞれの基端部に接続固定された第1及び第2の歯車と、当該第1の歯車と第2の歯車の間に配置され当該第1及び第2の歯車と嵌合するように構成された回転伝達歯車とを有し、
前記第1及び第2の親骨のいずれか一方を開閉したときに、他方の親骨の前記基端部に接続固定された前記歯車が回転し、前記扇面部が開閉可能としたことを特徴とする扇子状の扇風機。
【請求項２】
前記開閉機構の前記第1及び第2の歯車と前記回転伝達歯車とは、ラック・アンド・ピニオン機構を構成しており、
前記第1及び第2の歯車は、前記回転伝達歯車が上下動することに対応して同期して回転するように構成されたことを特徴とする請求項１に記載の扇子状の扇風機。                                                
【請求項３】
前記開閉機構の前記第1及び第2の歯車と前記回転伝達歯車とはウォーム歯車機構を構成しており、
前記扇子部のそれぞれの歯車は、前記回転伝達歯車が回転することに対応して同期して回転するように構成されたことを特徴とする請求項１に記載の扇子状の扇風機。                                                
【請求項４】
前記開閉機構の前記回転伝達歯車は、フェース歯車から成り、
前記開閉機構の前記第1及び第2の歯車は、前記フェース歯車と噛合する平歯車であり、
前記回転伝達歯車が回転することに対応して同期して回転するように構成されたことを特徴とする請求項１に記載の扇子状の扇風機。                                                  
【請求項５】
前記開閉機構の前記回転伝達歯車は、互いに勘合する２連の平歯車から構成されており、
前記開閉機構の前記第1及び第2の歯車は、前記回転伝達歯車が回転することに対応して同期して回転するように構成されたことを特徴とする請求項１に記載の扇子状の扇風機。
【請求項６】
前記開閉機構の前記第1及び第2の歯車と前記回転伝達歯車とは、遊星歯車機構を構成しており、
前記第1及び第2の歯車は、前記回転伝達歯車が回転することに対応して同期して回転するように構成されたことを特徴とする請求項１に記載の扇子状の扇風機。                                                      
【請求項７】
前記ケース部の上端部または下端部の両脇にストラップ用穴を設けたことを特徴とする請求項１から請求項６のいずれか一項に記載の扇子状の扇風機。
【請求項８】
前記扇子部の扇面部に太陽電池を設けたことを特徴とする請求項１から請求項７のいずれか一項に記載の扇子状の扇風機。
【請求項９】
前記ケース部及び／又は前記扇子部の前記親骨は、防刃繊維層を含むことを特徴とする請求項１から請求項８のいずれか一項に記載の扇子状の扇風機。
【発明の詳細な説明】
【技術分野】
【０００１】
本発明は、扇子状の扇風機に関するものである。より詳しくは、左右に扇子部を設けた扇子状の扇風機の親骨を、左右で均等の力と左右の同期性をもって開閉扇することによって、左右の扇面に施された絵柄（模様を含む）を同期性をもって表現できる扇子状の扇風機に関するものである。
【背景技術】
【０００２】
小型の扇風機として、握り部ケ−スに対しカゴ型カバ−で覆った扇風機部を可動自在に連結し、ストラップを握り部ケ−スに取付けて、手軽に携帯ができて、自分専用に用いる小型パ−ソナル扇風機が利用されている。（特許文献１参照）。
【０００３】
また、外出、デスクワ−クなどの家庭用に、折り畳みができコンパクトなマルチハンディファンは持ち運びも簡単で、加えてアロマの香りを送風するという付加価値を付与した小型の扇風機なども利用されている。（非特許文献１参照）
【先行技術文献】
【特許文献】
【０００４】
【特許文献１】実登３０８０１３７公報
【非特許文献】
【０００５】
【非特許文献１】株式会社阪和、” PRISMATE(プリズメイト)充電式マルチハンディファン アロマトレ−付”[2019年9月3日検索]、インタ−ネット＜https://www.b−grow.com/product/pr−f015/＞
【発明の概要】
【発明が解決しようとする課題】
【０００６】
本発明は、小型の扇風機の特徴である、いつでも、どこでも、どういった場面でも利用が出来る便利さに対して、その時、その場所やその場面に適応したまたは相応しいデザインや表現を施した小型の扇風機が殆ど存在しない点に鑑みて、その表現の手段として左右に扇子部を用いたものであり、意匠性の高い扇子状の扇風機を提供すること、およびその扇風機の左右両側に設けられた扇子部の開閉扇方法を提供することを目的とするものである。
【０００７】
特許文献１の説明によると、個々人が自分専用で自由に使用することができ、又、携帯が可能で冷房のない外出先などでも手軽に使用することができる小型のパ−ソナル利用が可能な扇風機が提供されてきた。
【０００８】
また、非特許文献１の説明によると、リラックスな雰囲気を演出するためにアロマの香りを送風できる付加価値を付けた小型扇風機なども開発されて、それぞれのＴＰＯにあわせた小型の扇風機の提供が始まりだした。
【０００９】
しかながら、扇風機の特徴を活かした事例、例えば扇風機の形状のなかで広い部分を占める扇風機の送風面、あるいはその送風面を活用し、ＴＰＯにあわせたデザインや表現を用いて付加価値を向上させた小型の扇風機の事例は見当たらない。
【課題を解決するための手段】
【００１０】
本発明に係る扇子状の扇風機は、送風ファンおよびこの送風ファンを回転駆動するモーターを有する扇風機部と当該扇風機部を収容するケース部とを有する扇風機本体と、前記扇風機本体の左右両側に設けられた扇子部とを備えている。前記扇子部のそれぞれは、前記扇風機本体に基端部が回転可能に取り付けられた親骨と当該親骨および前記扇風機本体に両端部が取り付けられた蛇腹状の扇面部とを有し、前記親骨を前記基端部を中心として回転させることにより、前記扇面部を同期させて開閉可能としたことを特徴とする。
【００１１】
本発明に係る扇子状の扇風機では、扇風機本体に基端部が回転可能に取り付けられた親骨と当該親骨および扇風機本体に両端部が取り付けられた蛇腹状の扇面部とを有し、親骨が基端部を中心として回転することにより、扇面部が開閉可能に構成されている。これにより、扇風機としての機能を有することと合わせて、左右の扇子部に収納している扇面が蛇腹状に開いて表に現され、その扇面に施されているデザイン、書および絵柄を表現することができる。
【００１２】
本発明に係る扇子状の扇風機において、前記扇子部は、それぞれの親骨の基端部に回転可能な歯車を有しており、前記扇子部の前記歯車の間に、当該歯車と勘合するように構成された回転伝達歯車が配置されていることを特徴としてもよい。
【００１３】
本発明に係る扇子状の扇風機では、回転伝達歯車を用いて親骨を基端部を中心として、同期して左右の扇子部を容易に開閉することができる。これにより、左右の扇子部の扇面に施されていたデザイン、書および絵柄を容易に表現することができる。
【００１４】
本発明に係る扇子状の扇風機において、前記扇子部の前記歯車と前記回転伝達歯車とは、ラック・アンド・ピニオン機構を構成しており、前記扇子部のそれぞれの歯車は、前記回転伝達歯車が上下動することに対応して同期して回転するように構成されたことを特徴としてもよい。
【００１５】
本発明に係る扇子状の扇風機では、回転伝達歯車としてラック・アンド・ピニオン機構を用いて、回転伝達歯車を上下動させることにより、左右の扇子部の歯車が同期して回転するように構成することができる。これにより、親骨の基端部を中心として、左右の扇子部を同時に開閉することができ、さらに、左右の扇子部の扇面に施されていたデザイン、書および絵柄を容易に表現することができる。
【００１６】
本発明に係る扇子状の扇風機において、前記扇子部の前記歯車と前記回転伝達歯車とはウォーム歯車機構を構成しており、前記扇子部のそれぞれの歯車は、前記回転伝達歯車が回転することに対応して同期して回転するように構成されたことを特徴としてもよい。
【００１７】
本発明に係る扇子状の扇風機では、回転伝達歯車としてウォーム歯車機構を用いて、ウォームシャフトを含む回転伝達歯車を回転させることにより、左右の扇子部の歯車が同期して回転するように構成することができる。これにより、親骨の基端部を中心として、左右の扇子部を同時に開閉することができ、さらに、左右の扇子部の扇面に施されていたデザイン、書および絵柄を容易に表現することができる。
【００１８】
本発明に係る扇子状の扇風機において、前記回転伝達歯車は、フェース歯車から成り、前記扇子部の前記歯車は、前記フェース歯車と噛合する平歯車であり、前記回転伝達歯車が回転することに対応して同期して回転するように構成されたことを特徴としてもよい。
【００１９】
本発明に係る扇子状の扇風機では、回転伝達歯車にフェース歯車を用いて当該フェース歯車を回転させることにより、噛合する平歯車が親骨の基端部を中心として同期して回転するように構成することができる。これにより、左右の扇子部を同時に開閉することができ、さらに、左右の扇子部の扇面に施されていたデザイン、書および絵柄を容易に表現することができる。
【００２０】
本発明に係る扇子状の扇風機において、前記回転伝達歯車は、互いに勘合する２連の平歯車から構成されており、前記扇子部のそれぞれの歯車は、前記回転伝達歯車が回転することに対応して同期して回転するように構成されたことを特徴としてもよい。
【００２１】
本発明に係る扇子状の扇風機では、回転伝達歯車に２連の平歯車を用いて当該２連の平歯車を回転させることにより、噛合する平歯車が親骨の基端部を中心として同期して回転するように構成することができる。これにより、左右の扇子部を同時に開閉することができ、さらに、左右の扇子部の扇面に施されていたデザイン、書および絵柄を表現することができる。
【００２２】
本発明に係る扇子状の扇風機において、前記扇子部の前記歯車と前記回転伝達歯車とは、遊星歯車機構を構成しており、前記扇子部のそれぞれの歯車は、前記回転伝達歯車が回転することに対応して同期して回転するように構成されたことを特徴としてもよい。
【００２３】
本発明に係る扇子状の扇風機では、一方の扇子部の親骨の基端部に接続された太陽歯車を回転させることにより、当該太陽歯車に勘合する遊星歯車からなる回転伝達歯車を介して、他方の扇子部の親骨の基端部に接続され内歯車を同期して回転するように構成することができる。これにより、左右の扇子部を同時に開閉することができ、さらに、左右の扇子部の扇面に施されていたデザイン、書および絵柄を表現することができる。
【００２４】
本発明に係る扇子状の扇風機において、前記ケース部の上端部又は下端部にストラップ用穴を設けたことを特徴としてもよい。
【００２５】
本発明に係る扇子状の扇風機では、ケ−ス部の上端部又は下端部に配したストラップ用穴を用いて、例えば首から扇風機を吊り下げることが可能となる。扇風機を手で持たずに一定の風量を確保できると同時に、左右の扇子部の扇面に施されていたデザイン、書および絵柄を表現することができる。
【００２６】
本発明に係る扇子状の扇風機において、前記扇子部の扇面部に太陽電池を設けたことを特徴としてもよい。
【００２７】
本発明に係る扇子状の扇風機では、太陽電池または太陽電池パネルを用いることにより、普段の使用において充電の必要としないとともに、猛暑時期の災害時の個人専用として、またどの季節においても畜電器としての役割も果たすことができる。
【００２８】
本発明に係る扇子状の扇風機において、前記ケース部及び／又は前記扇子部の前記親骨は、防刃繊維部材を含むことを特徴としてもよい。
【００２９】
本発明に係る扇子状の扇風機では、ケース部及び／又は扇子部の親骨に防刃繊維を含む材料を用いているので、防具としての機能も備えることができ、万が一のテロ用の防御に用いることができる。
【発明の効果】
【００３０】
本発明の扇風機に用いる回転伝達歯車を使用することにより、親骨の開閉をするのが難しかった、または扇子の開閉扇に不慣れな人でも、左右に扇子部を設けた扇子状の扇風機の左右の親骨を容易に、かつ同期性をもって開閉扇が可能となるため、一般の人が親骨の開閉をするのが難しい例えば飾り扇子や舞扇子などの京扇子を扇子部に用いることが可能となるため、扇面に扇風機を利用するＴＰＯにあわせたデザイン、書および絵柄などの多種多様な表現性をもった扇子部を用いることができるという効果がある。  
【図面の簡単な説明】
【００３１】
【図１】図１は、扇子部を左右に配した扇風機の開扇時の構造を示した図である。
【図２】図２は、扇子部を左右に配した扇風機の閉扇時の構造を示した図である。
【図３】図３（ａ）は、回転伝達歯車としてラック・アンド・ピニオン機構を用い左右の親骨基端部のピニオン歯車との噛合せ構造を示した図である。図３（ｂ）は、回転伝達歯車として用いたラック・アンド・ピニオン機構の機構を示した図である。
【図４】図４は、回転伝達歯車としてウォーム歯車機構を用い左右の親骨基端部のウォ−ム歯車との噛合せ構造を示した図である。
【図５】図５（ａ）は、回転伝達歯車としてフェース歯車を用い左右の親骨基端部の平歯車との噛合せ構造を示した図＜背面図＞である。また、図５（ｂ）は、フェース歯車の構造を示した図＜側面図＞ある。
【図６】図６は、回転伝達歯車として互いに勘合する２連の平歯車を用い左右の親骨基端部の平歯車との噛合せ構造を示した図である。
【図７】図７（ａ）は、回転伝達歯車として遊星歯車機構を用い、図において左扇子部の親骨基端部に配した太陽歯車と、回転伝達歯車の遊星歯車と、右扇子部の親骨基端部に配した内歯車とのとの噛合せ構造を示した図＜平面図＞である。また、図７（ｂ）は、親骨基端部の位置関係と太陽歯車に配されたストッパ−用シャフトの構造を示した図＜側面図＞である。
【図８】図８は、扇風機部を起立させ、首からストラップで吊下げた扇子状の扇風機を示した図である。
【図９】図９（ａ）は、太陽電池パネルを用いた扇子状の扇風機の閉扇状態を示した図＜平面図＞である。図９（ｂ）は、太陽電池パネルを用いた扇子状の扇風機の側面の状態を示した図＜側面図＞である。また、図９（ｃ）は、太陽電池パネルを用いた扇子状の扇風機の開扇状態を示した図＜平面図＞である。
【図１０】図１０（ａ）は、扇子状の扇風機の送風ファンを回転させた状態を示した図である。また、図１０（ｂ）は、扇子状の扇風機を応援道具の定番である「日の丸扇子」として用いた図である。
【図１１】図１１（ａ）は、扇子状の扇風機を訪日観光客が好む扇面の一つの例として図柄に「くまどり」をあしらった扇子部を用いた事例を示した図である。また、図１０（ｂ）は、扇子状の扇風機を訪日観光客が好む扇面の一つの例として図柄に「阿吽金剛力士」をあしらった扇子部を用いた事例を示した図である。
【図１２】図１２（ａ）は、扇子状の扇風機をアニメイベント用にアニメファンが好む一つの例として図柄に「アニメ」をあしらった扇子部を用いた事例を示した図である。また、図１２（ｂ）は、扇子状の扇風機をフェス／ライブ用にアイドルファンやア−ティストファンが好む一つの例として図柄に「パフォ−マ−」をあしらった扇子部を用いた事例を示した図である。
【図１３】図１３（ａ）は、扇風機の左右の側面に配した親骨に積層体を用いその一層に防刃繊維を備えた扇子状の扇風機を示した図である。図１３（ｂ）は親骨の表面に防刃繊維を備えた扇子状の扇風機を示した図である。また、図１３（ｃ）は親骨に積層体を用いその一層に防刃繊維を備えた扇子状の扇風機を示した図である。
【発明を実施するための形態】
【００３２】
以下、本発明の構造および構成を図１〜９のモデル図を用いて示し、実施の形態を図１０〜１３に実施例として説明する。
【００３３】
本発明による扇子状の扇風機１の開扇時の構成を図１の概略図を用いて示してある。図１の扇風機１の中央上部に扇風機部１０を配置し、扇風機部１０は送風ファン１１とそれを駆動回転させるモ−タ−１２を主要部品として配置しており、また扇風機部１０は扇風機部起立用ヒンジ１３を介してケ−ス部２０と繋がり、そのケ−ス部２０は扇風機部２０を収めるとともに電池部２４を有し、電池部２４は二次電池又は一次電池等の種々の電池を用いることができ、二次電池であれば内蔵としてもよいし一次電池の場合は当然交換できる構成となり、開閉自在の蓋体を必要とし、同時に回転伝達歯車３０を配置してある。
【００３４】
また、図１には、扇子状の扇風機１の左右の扇子部５０／７０を示してあり、扇子部は左右の扇子部用基板２１／２２と左右の扇子部据付親骨５４／７４との間で各々と接合されて、左右の扇子部の親骨５１／７１を用いて開扇すると、左右の扇子部の中骨５２／７２が連動して、左右の扇子部に収納している扇面５３／７３が蛇腹状に開いて表に現されることになり、その扇面に施されていたＴＰＯにあわせたデザイン、書および絵柄を用いて表現することが可能となる。
【００３５】
図２には本発明による扇風機１の閉扇時の構成を示してある。図１の構成から左右の扇子部５０／７０を閉じたため、左右の扇子部開閉親骨５１／７１だけが正面から見える状態になっている。
【００３６】
図３〜図７には、本発明による回転伝達歯車部３０の構成を列挙してある。        
【００３７】
図３（ａ）は、回転伝達歯車部３０としてラック・アンド・ピニオン機構を用いた事例であって、例えば右側の扇子部開閉親骨７１を第１番目にＡ−１の方向に動かし開扇すると、右扇子部の親骨基端部にあるピニオン歯車７５が同じＡ−２の方向に回り、それにより略円筒状のラック歯車３２がＢの方向に動き、更に左扇子部の親骨基端部にあるピニオン歯車５５に伝達されてＣ−１の方向に動き、左側の扇子部の親骨５１がＣ−２の方向に開扇し、左右の扇子部の親骨５１／７１が同期して開扇することを示している。
【００３８】
左右の扇子部の親骨５１／７１の基端部のピニオン歯車５５／７５は、左右の親骨５１／７１の基端部に歯車を取り付けたもの、または基端部位を歯車形状に形成したものであって、もう一つの開扇の方法として、回転伝達歯車の円筒状のラック歯車３２を手動で上下Ｄさせると、左右の扇子部の親骨の基端部にあるピニオン歯車５５／７５の各々が逆方向に動き、その歯車を付帯している左右の扇子部の親骨５１／６１が同期して各々が逆方向に動き開扇し、円筒状のラック歯車３２を反対方向に動かすことで同期して各々が逆方向に動き閉扇する。
【００３９】
図３（ｂ）には、回転伝達歯車部３０の構造を示しており、円筒状のラック歯車３２の中心に設定した円筒状のラック歯車摺動用チュ−ブ３４の中を円筒状のラック歯車摺動用ポ−ル３５を円筒状のラック歯車３２が摺動して上下の作動させることができ、回転伝達歯車ストッパ−３３用いて開扇角度を好みの角度に設定し止めることが出来る。
【００４０】
図４は、回転伝達歯車部３０としてウォーム歯車機構を用いた事例であって、回転伝達歯車部３０の中央にらせん状（蠕虫状に）に上下することが可能なウォ−ム・シャフト３６を用いた事例であって、例えば右側の扇子部の親骨７１を第１番目にＡ−１の方向に動かし開扇すると、右扇子部の親骨の基端部に付帯したウォ−ム歯車７６が同じＡ−２の方向に回り、それによりウォ−ム・シャフト３６がＢの方向に動き、更に左扇子部の親骨に付帯したウォ−ム歯車５６に伝達されてＣ−１の方向に動き、左側の扇子部の親骨５１がＣ−２の方向に開扇することができる。
【００４１】
左右の扇子部の親骨５１／７１の基端部のウォ−ム歯車５６／７６は、左右の親骨５１／７１の基端部に歯車を取り付けたもの、または基端部位を歯車形状に形成したものであって、他の開閉扇の手法として、ウォ−ム・ヘッド３７を手動でＤに回すと、ウォ−ム・シャフト３６が同じ方向に動くため、左右の扇子部の親骨に付帯したウォ−ム歯車５６／７６が各々の方向に動き、その歯車を付帯している左右の扇子部の親骨５１／７１が同期して各々が開扇し、スクリュ−・ヘッド３７を反対方向に動かすと閉扇が可能となる。
【００４２】
図５（ａ）には、回転伝達歯車部３０の中央に水車型のフェ−ス歯車３８を用いた事例を説明をし易くするために＜背面図＞を示した。図５（ａ）を用いて説明すると、例えば右側の扇子部の親骨７１を第１番目にＡ−１の方向に動かし開扇すると、右扇子部の親骨の基端部に付帯したフェ−ス用の平歯車７７が同じＡ−２の方向に回り、それにより水車型のフェ−ス歯車３８をＢの方向に動かすことが出来、その後左扇子部の親骨の基端部に付帯したフェ−ス用の平歯車５７に伝達されてＣ−１の方向に動き、左側の扇子部の親骨５１をＣ−２の方向に開扇することができる。  
【００４３】
左右の扇子部の親骨５１／７１の基端部のフェ−ス用の平歯車５７／７７は、左右の親骨５１／７１の基端部に歯車を取り付けたもの、または基端部位を歯車形状に形成したものであって、図５（ｂ）に回転伝達歯車部３０を使った他の開扇の手法として、回転伝達歯車とする水車型のフェ−ス歯車３８を手で上下Ｄさせると、左右の扇子部の親骨の基端部に付帯したフェ−ス用の平歯車５７／７７が各々の方向に動き、その歯車を付帯している左右の扇子部開閉親骨５１／７１が同期して各々が開扇する（閉扇も同じく歯車を反対方向に動かすことで可能となる）ことが出来、また、回転伝達歯車ストッパ−３３用いて開扇角度を自由な角度に設定し止めることが出来る。
【００４４】
図６には回転伝達歯車部３０に２連歯車３９を用いた例を示してあり、例えば右側の扇子部開閉親骨７１を第１番目にＡ−１の方向に動かし開扇すると、付帯した右扇子部の親骨の基端部に位置する平歯車７８が同じＡ−２の方向に回り、それにより回転伝達２連平歯車３９が動き、更に左扇子部の親骨の基端部平歯車５８に伝達されてＣ−１の方向に動き、左側の扇子部開閉親骨５１がＣ−２の方向に開扇することができ、また、回転伝達歯車ストッパ−３３用いて開扇角度を自由な角度に設定し止めることが出来る。
【００４５】
左右の扇子部の親骨５１／７１の基端部平歯車５８／７８は、左右の親骨５１／７１の基端部に歯車を取り付けたもの、または基端部位を歯車形状に形成したものであって、他の開扇の手法として、回転伝達歯車とする２連平歯車３９の一方を可動させると、左右の扇子部の親骨の基端部平歯車５８／７８が各々の方向に動き、その歯車を付帯している左右の扇子部開閉親骨５１／７１が同期して各々が開閉扇することが出来、また、回転伝達歯車ストッパ−３３用いて開扇角度を自由な角度に設定し止めることが出来る。
【００４６】
図７（ａ）には回転伝達歯車部３０としてとして遊星機構を用いたものを示しており、複数個の遊星歯車、または遊星キャリアにピニオン歯車を組み合わせた遊星歯車からなる回転伝達遊星歯車３９を用いて、片側の親骨の基端部に付帯し中央で回転する太陽歯車５９と、遊星歯車を介してもう片方の親骨の基端部に付帯し外側で回る内歯車７９の組み合わせから成る構造を示している。
【００４７】
図７（ａ）において、右側の扇子部の親骨７１を第１番目にＡ−１の方向に動かし開扇すると、右扇子部の親骨の基端部に位置する内歯車７９が同じＡ−２の方向に回り、それにより回転伝達遊星歯車４０の各々がＢの方向に動き、更に左扇子部の親骨の基端部の太陽歯車５９に伝達されてＣ−１の方向、そして左側の扇子部開閉親骨５１がＣ−２の方向に開扇することができる。
【００４８】
左右の扇子部の親骨５１／７１の基端部の太陽歯車５９および内歯車７９は、左右の親骨５１／７１の基端部に歯車を取り付けたもの、または基端部位を歯車形状に形成したものであって、図７（ｂ）には太陽歯車５９の反対側に取付けられた太陽歯車シャフト６０と回転伝達歯車ストッパ−３３用いて開扇角度を自由な角度に設定し止めることが出来る状態を＜左側面図＞を用いて示した。
【００４９】
図８には、本発明の扇子を吊下げストラップ１４を用いて使用者の顔や首部に風をあてる事例で、扇風機部１０をケ−ス部の上部に取り付けた扇風機部起立用ヒンジ１３を介して、本体ケ−スより起こして使用することができ、ケ−ス部２０の上部に配した吊り下げストラップ用穴２２を用いて、吊下げストラップ１４を用いて吊るして所謂“ハンズフリ−”および“ウェアラブル”の状態で使用ができ、扇風機部１０をケ−ス部の中央部に取り付けた扇風機部起立用ヒンジ１３を用い、ケ−ス部２０の下部に吊り下げストラップ用穴をケ−ス部の下部に配置すると逆向きに吊るすこともできる。
【００５０】
図９は、左右に回転伝達歯車部３０であある、ラック・アンド・ピニオン機構、ウォーム歯車機構、フェース歯車機構、２連平歯車の構成、星歯車機構のいずれかの機構を用いて左右に展開することが可能な太陽電池パネルを備えた事例であり、図９（ａ）は閉扇時、図９（ｂ）はその側面図、図９（ｃ）は開扇時の状態を示しており、普段の使用において充電の必要が無いとともに、猛暑時期の防災用として個人専用の扇風機１を確保できるとともに、またどの季節においても畜電器としての役割も果たすことができ、また、折り畳み可能な太陽電池シ−トを用いると本体ケ−ス２０の側面にある左右の扇子部の扇面５３／６３に太陽電池シ−トを展開することが可能になる。
【００５１】
＜実施例１＞
図１０（ａ）は、ＴＰＯのその時、その場所、その場面に適応したまたは相応しいデザインや意匠を左右の扇子部５０／６０に用いた小型の扇風機１の開扇前（閉扇）の状況を示しており、図１０（ｂ）には、本発明の回転伝達歯車３０を使用し、デザインや意匠を左右の扇子部の扇面５３／６３に用いて左右を同期させて開扇（全開扇）させた後の状況を示している。
【００５２】
図１０（ａ）において、送風ファン１１を赤色に施して可動させると、回転した送風ファン１５は赤い回転体となり、それを開扇すると、左右の扇子部扇面５３／６３の書などと共に図１０（ｂ）に示した「勝利の旋風をもたらす」縁起担ぎの応援道具の定番とされる「日の丸扇子」に大風量を送る扇風機部１０との相乗効果の旋風を起こす扇風機１として応援、例えば「その時」として２０２０年、「その場所」として東京オリンピック・パラリンピック大会、そして「その場面」として日本人選手の応援に用いることができるとともに、屋外での競技やマラソンなどの路上競技においては扇風機の本来の機能である猛暑対策用品として用いることで、応援と自己の体温調節の両方の用途に用いることが出来る扇子状の扇風機である。
【００５３】
尚、この扇風機１の赤色の送風ファン１１を用いて回転した送風ファン１５が赤色の円形物に見えると同様に、羽根の部位に発光ダイオード（ＬＥＤ）（図示せず）を用いると多数の発色や文字や絵柄を表現することも可能である。ＬＥＤを用いることにより、例えば各国のナショナルカラ−を用いての各国の応援に使用できる扇子状の扇風機を提供することができる。  
【００５４】
＜実施例２＞
医学的調査にて、北欧米人の平均汗腺数は１３０万個、日本人は１８０万個、そしてフィリピン人は２３０万個という数値が報告されており、訪日するインバウンダ−の中でも、特に本発明の扇風機１の扇子部扇面図５３／６３に、飾り扇子を用いることにより、猛暑シ−ズンに訪日するインバウンダ−用の猛暑対策サバイバルグッズと帰国後のセルフス−ベニアを兼ねた扇子型携帯扇風機として用いることが可能となる。
【００５５】
こういったインバウンダ−向け用途には、左右に回転伝達歯車３０を用いた扇子状の扇風機１、例えば図１１（ａ）に示した「歌舞伎の『くまどり』の左右半分割」した和紙や布を用いて左右の扇子部扇面５３／６３に“シンメトリ−”な絵柄を装飾、あるいは図１１（ｂ）に示した「仁王門の『阿吽』の金剛力士像」や「歌舞伎の『連獅子』」を和紙や布を用いて左右の扇子部扇面５３／６３に“一対”の絵柄を装飾した扇子状の扇風機の扇面を、シンクロさせ同期開扇することにより、インバウンダ−が日本滞在中は「猛暑対策サバイバルグッズ」として、また帰国後は「セルフ・スーベニアの飾り扇子」として用いることが可能となる。
【００５６】
この場合、サバイバルグッズのＴＰＯの「その時」として蒸し暑い日本の５〜９月、「その場所」猛暑の日本の観光地、そして「その場面」として汗腺の少なさを扇風機１の風量で補うことであって、帰国後は「その時」として帰国後のリラックスした時間に、「その場所」として自宅のマイル−ムで、そして「その場面」として猛暑の日本観光の思い出が出来る小型の扇風機１とすることが出来る。
【００５７】
＜実施例３＞
図１２（ａ）にはアニメのイベントなど、図１２（ｂ）にはコンサ−トやフェスなどの用途に左右に回転伝達歯車３０を用いて開扇すると、左右の扇子部扇面５３／６３にイベントに相応しい絵柄、またはコンサ−トやフェスのア−ティストやアイドルに相応しい絵柄を、左右の扇子部扇面図５３／６３に施した事例であって、各々の催し物ごとに創案されたデザイン扇子として用いることが可能となる。
【００５８】
＜実施例４＞
図１３（ａ）には、扇風機本体２またはおよびその左右の側面に配した親骨５１／７１に防刃繊維部材として防刃繊維９５を用いたテロ防備用の扇子状の扇風機を示している。図１３（ｂ）は親骨５１／７１の表面層に防刃繊維部材として防刃繊維９５を用い、その上層にクリア層９６を施した断面図の事例を示している。また、図１３（ｃ）は、親骨５１／７１に防刃繊維部材として防刃繊維９５を用い、その上層に塗膜層または樹脂層９７を施した断面図の事例を示している。
【００５９】
例えばオリンピック・パラリンピックのセキュリティーコードで持込めるものとしてペットボトルか日傘程度までとされており、万が一のテロの発生で、防御に用いる事が出来る面や線状部を保持する唯一の型物は猛暑対策に寄与できる携帯扇風機程度となることが想定されている。また、新幹線小田原事件で、シ−トマットが防具になる事を知らず犠牲者がでてしまった前例もある。これらの教訓を活かすために、競技会場或いはマラソンなど路上会場での無防備状況を回避する為に、防刃繊維を用いて「戦国時代の茶の湯で用いられた鉄扇」の代替えとしてテロ防備の防具として、当該扇子状の扇風機を用いることができる。
【符号の説明】
【００６０】
１  ：扇風機
２  ：扇風機本体
１０：扇風機部
１１：送風ファン
１２：モ−タ−
１３：扇風機部起立用ヒンジ
１４：吊下げストラップ
１５：回転した送風ファン
２０：ケ−ス部
２１：左扇子部用基板
２２：右扇子部用基板
２３：吊下げストラップ用穴
２４：電池部
３０：回転伝達歯車
３１：ピニオン歯車
３２：円筒状ラック歯車
３３：回転伝達歯車ストッパ−
３４：円筒状ラック歯車摺動用チュ−ブ
３５：円筒状ラック歯車摺動用ポ−ル
３６：ウォ−ム
３７：ウォ−ム・ヘッド
３８：水車型フェ−ス歯車
３９：回転伝達２連平歯車
４０：回転伝達遊星歯車
５０：左扇子部
５１：左扇子部親骨
５２：左扇子部中骨
５３：左扇子部扇面
５４：左扇子部据付親骨  
５５：左扇子部親骨基端部ピニオン歯車
５６：左扇子部親骨基端部ウォ−ム歯車
５７：左扇子部親骨基端部フェ−ス用平歯車
５８：左扇子部親骨基端部平歯車
５９：左扇子部親骨基端部太陽歯車
６０：左扇子部親骨基端部太陽歯車シャフト
７０：右扇子部
７１：右扇子部親骨
７２：右扇子部中骨
７３：右扇子部扇面
７４：右扇子部据付親骨  
７５：右扇子部親骨基端部ピニオン歯車
７６：右扇子部親骨基端部ウォ−ム歯車
７７：右扇子部親骨基端部フェ−ス用平歯車
７８：右扇子部親骨基端部平歯車
７９：右扇子部親骨基端部内歯車
９０：左扇子部太陽電池パネル
９１：右扇子部太陽電池パネル
９２：太陽電池パネル用回転伝達歯車部
９５：防刃繊維層
９６：クリア層
９７：塗膜層または樹脂層
Ａ−１：（最初に）動く方向
Ａ−２：Ａ−１の動きにあわせて親骨の基端部に付帯した歯車または親骨の基端部に形成された歯車の動く方向
Ｂ    ：Ａ−１、−２の動きに同期して回転伝達歯車が動く方向
Ｃ−１：Ａ−１、−２、Ｂの動きにあわせて親骨の基端部に付帯した歯車または親骨の基端部に形成された歯車の動く方向
Ｃ−２：最終的にＡ−１からの動きが同期して反対側の親骨が動く方向
Ｄ    ：手動で動かす方向
【要約】
【課題】小型の扇風機は、個々人が自分専用で自由に使用することができ、携帯が可能で、外出先などでも手軽に使用することができるパーソナル利用が可能な便利さに対して、アロマの香りを送風できる付加価値を付けた扇風機などが開発され始めたが、それぞれのＴＰＯにあわせた小型の扇風機の提供が始まりだしたが、デザインや表現を施せるスペースを擁した小型の扇風機が存在しない。
【解決手段】扇子状の扇風機は、送風ファンおよびこの送風ファンを回転駆動するモーターを有する扇風機部と当該扇風機部を収容するケース部とを有する扇風機本体と、扇風機本体の左右両側に設けられた扇子部と、を備える。扇子部のそれぞれは、扇風機本体に基端部が回転可能に取り付けられた親骨と当該親骨および扇風機本体に両端部が取り付けられた蛇腹状の扇面部とを有し、親骨を基端部を中心として回転させることにより、扇面部を開閉可能に構成されている。
【選択図】図１【図１】
0006761094.tif 000002
【図２】
0006761094.tif 000003
【図３】
0006761094.tif 000004
【図４】
0006761094.tif 000005
【図５】
0006761094.tif 000006
【図６】
0006761094.tif 000007
【図７】
0006761094.tif 000008
【図８】
0006761094.tif 000009
【図９】
0006761094.tif 000010
【図１０】
0006761094.tif 000011
【図１１】
0006761094.tif 000012
【図１２】
0006761094.tif 000013
【図１３】
0006761094.tif 000014